(57)【要約】【課題】氷柱の形成を抑制可能な寒冷地帯用照明器具を提供すること。【解決手段】寒冷地帯用照明器具１は、器具本体１０内に光源２５を備え、光源２５の熱によって高温になる器具本体１０の高温部１０Ｃの温度と、器具本体１０から水滴が滴下する滴下部１０Ｅ１、１０Ｆ１の温度の温度差を所定温度以内に収めた構成とした。【選択図】図５
2014072080.tif 000002
【特許請求の範囲】
【請求項１】
器具本体内に光源を備え、
前記光源の熱によって高温になる前記器具本体の高温部の温度と、前記器具本体から水滴が滴下する滴下部の温度の温度差を所定温度以内に収めたことを特徴とする寒冷地帯用照明器具。
【請求項２】
前記光源の熱を前記滴下部に伝熱する伝熱部材を設けたことを特徴とする請求項１に記載の寒冷地帯用照明器具。
【請求項３】
前記伝熱部材を取り外し可能に設けたことを特徴とする請求項２に記載の寒冷地帯用照明器具。
【請求項４】
前記器具本体は、ベースケース体と、このベースケース体の下面に設けられたカバーとを備え、
前記カバーの外縁部を前記ベースケース体の側面が覆い、当該側面の下端を前記滴下部としたことを特徴とする請求項１乃至３のいずれかに記載の寒冷地帯用照明器具。
【請求項５】
前記カバーは、前記光源の光を透過するグローブにより覆われる照射開口を備え、
前記グローブは、断熱性を有するシール部材を挟んで、前記ベースケース体と前記カバーとの間に挟持されることを特徴とする請求項４に記載の寒冷地帯用照明器具。
【発明の詳細な説明】
【技術分野】
【０００１】
本発明は、寒冷地帯に設置される寒冷地帯用照明器具に関する。
【背景技術】
【０００２】
従来、屋外に立設した支柱に器具本体を支持し、器具本体内に備える光源により照明する照明器具が知られている（例えば、特許文献１参照）。
【先行技術文献】
【特許文献】
【０００３】
【特許文献１】特許第４０６１４３８号公報
【発明の概要】
【発明が解決しようとする課題】
【０００４】
ところで、寒冷地帯においては、照明器具の天面に積もった雪が光源の熱により融けて水滴となり、水滴が器具本体から滴下する際に凍って、器具本体に氷柱が形成されるという問題がある。
【０００５】
本発明は、上述した事情に鑑みてなされたものであり、氷柱の形成を抑制可能な寒冷地帯用照明器具を提供することを目的とする。
【課題を解決するための手段】
【０００６】
上記目的を達成するために、本発明の寒冷地帯用照明器具は、器具本体内に光源を備え、前記光源の熱によって高温になる前記器具本体の高温部の温度と、前記器具本体から水滴が滴下する滴下部の温度の温度差を所定温度以内に収めたことを特徴とする。
【０００７】
また本発明は、上記寒冷地帯用照明器具において、前記光源の熱を前記滴下部に伝熱する伝熱部材を設けたことを特徴とする。
【０００８】
また本発明は、上記寒冷地帯用照明器具において、前記伝熱部材を取り外し可能に設けたことを特徴とする。
【０００９】
また本発明は、上記寒冷地帯用照明器具において、前記器具本体は、ベースケース体と、このベースケース体の下面に設けられたカバーとを備え、前記カバーの外縁部を前記ベースケース体の側面が覆い、当該側面の下端を前記滴下部としたことを特徴とする。
【００１０】
また本発明は、上記寒冷地帯用照明器具において、前記カバーは、前記光源の光を透過するグローブにより覆われる照射開口を備え、前記グローブは、断熱性を有するシール部材を挟んで、前記ベースケース体と前記カバーとの間に挟持されることを特徴とする。
【発明の効果】
【００１１】
本発明によれば、高温部の温度と滴下部の温度の温度差が所定温度以内に収まる構成であるため、滴下部に氷柱が形成されることを抑制できる。
【図面の簡単な説明】
【００１２】
【図１】本発明の実施形態に係る道路灯を下方からみた斜視図である。
【図２】道路灯の構成を示す図であり、（Ａ）は平面図、（Ｂ）は側面図、（Ｃ）は底面図、（Ｄ）は正面図、及び（Ｅ）は背面図である。
【図３】道路灯の底面図である。
【図４】図２（Ａ）のＩ−Ｉ線における断面視図である。
【図５】図３のＩＩ−ＩＩ線における断面図である。
【図６】器具本体の分解斜視図である。
【図７】ベースケース体の構成を示す図であり、（Ａ）は平面図、（Ｂ）は側面図、（Ｃ）は底面図、（Ｄ）は正面図、（Ｅ）は背面図である。
【図８】蓋体を開いた状態を示す道路灯の側面図である。
【図９】蓋体を開いた状態を示す道路灯の上方斜視図である。
【図１０】伝熱板を示す図であり、（Ａ）は側面図、（Ｂ）は底面図、（Ｃ）は背面図である。
【図１１】図５の部分Ａを拡大して示す図である。
【発明を実施するための形態】
【００１３】
以下、図面を参照して本発明の実施形態について説明する。本実施形態では、寒冷地帯用照明器具の一例として道路灯を説明する。
図１は本実施形態に係る道路灯１を下方からみた斜視図である。図２は道路灯１の構成を示す図であり、図２（Ａ）は平面図、図２（Ｂ）は側面図、図２（Ｃ）は底面図、図２（Ｄ）は正面図、及び図２（Ｅ）は背面図である。また図３は道路灯１の底面図である。
この道路灯１は、図１に示すように、ポール型（ストレート型とも呼ばれる）の支柱４、又は、アーム型の支柱５の先端部３に器具本体１０を支持したものである。支柱４、５は路肩等の道路脇の地面に立設された柱であり、ポール型の支柱４は、その先端部３が鉛直方向に真っ直ぐに延び、アーム型の支柱５は、柱の途中から曲がって先端部３が水平方向に水平、或いは所定角度傾いて延びている。この道路灯１の器具本体１０は、支柱４、５の両方に取り付け可能に構成されている。
【００１４】
器具本体１０は、アルミダイカスト等で形成され、図１、及び図２に示すように、一端１１Ａから他端１１Ｂにかけて長い平面視略矩形の箱型を成し、その一端１１Ａの近傍で上記支柱４、５の先端部３に支持され、他端１１Ｂを道路側（車道側）に向けて設置される。器具本体１０の底面１０Ａには、一端１１Ａの側に照射開口１２が形成され、この照射開口１２が平板状の透明なグローブガラス（グローブ）１３（図２（Ｃ））で覆われている。なお、図１、及び図３は、グローブガラス１３から器具本体１０の内部を透視して示したものである。
【００１５】
器具本体１０は、背面１０Ｂ（すなわち一端１１Ａ近傍の外側面）にアーム用挿入孔１５（図２（Ｅ））が設けられ、また一端１１Ａ近傍の底面１０Ａにポール用挿入孔１６が設けられている。ポール型の支柱４に器具本体１０を支持する場合には、当該支柱４の先端部３が器具本体１０の底面１０Ａからポール用挿入孔１６に挿入され、またアーム型の支柱５に支持する場合には、当該支柱５の先端部３が器具本体１０の背面１０Ｂからアーム用挿入孔１５に挿入される。これらアーム用挿入孔１５、及びポール用挿入孔１６のうち、先端部３が挿入されていない方は閉塞板１７で閉塞される。
なお、本実施形態では、ポール型の支柱４に支持する道路灯１について主に説明する。
【００１６】
図４は図２（Ａ）のＩ−Ｉ線における断面視図であり、図５は図３のＩＩ−ＩＩ線における断面図である。図６は器具本体１０の分解斜視図である。
器具本体１０は、ベースケース体２０と、下カバー体（カバー）２１と、蓋体２２とを備え、これらが器具本体１０の略箱型のケース体を構成する。これらベースケース体２０、下カバー体２１、及び蓋体２２は、屋外使用に十分に耐え得る耐食性があり、なおかつ、熱伝導性が高い材料（例えばアルミニウムやアルミニウム合金）を用いて形成されている。高熱伝導性の材料を用いることで、後述する光源ユニット２５の発熱がケース体（本実施形態では、特にベースケース体２０）から放熱され、光源ユニット２５の光源温度が発光動作に適切な温度に維持される。
ベースケース体２０は、器具本体１０の六面の外側面のうち、天面１０Ｃ、正面側、及び左右側の外側面（側面）１０Ｄ、１０Ｅ、１０Ｆを構成し、下カバー体２１は、器具本体１０の底面１０Ａを構成する。また蓋体２２は、器具本体１０の天面１０Ｃに開閉自在に設けられ、当該天面１０Ｃの一部から背面１０Ｂを構成する。
器具本体１０には、蓋体２２が開いて露出する箇所に後述するクランプユニット２６が内設され、また道路側を向く他端１１Ｂの側に光源を構成する複数（本実施形態では６個）の光源ユニット２５が内設されている。
【００１７】
下カバー体２１は、ベースケース体２０の下面にネジ１９（例えば図５）でネジ止め固定され、当該ベースケース体２０の下面を閉じる部材であり、上述した照射開口１２、及び、ポール用挿入孔１６が形成されている。また、下カバー体２１は、図５、及び図６に示すように、照射開口１２を覆うようにグローブガラス１３が上側から嵌め込まれて当該グローブガラス１３を担持する。このグローブガラス１３の縁部には、シール部材としての環状のパッキン４２が全周に亘って嵌め込まれており、当該パッキン４２によって下カバー体２１の照射開口１２がシールされる。また、下カバー体２１をベースケース体２０に取り付けた際には、下カバー体２１とベースケース体２０との間でパッキン４２が挟み込まれて、当該ベースケース体２０の内部がシールされるが、その詳細については後述する。
【００１８】
図７はベースケース体２０の構成を示す図であり、図７（Ａ）は平面図、図７（Ｂ）は側面図、図７（Ｃ）は底面図、図７（Ｄ）は正面図、図７（Ｅ）は背面図である。
ベースケース体２０は、その内部が器具本体１０の一端１１Ａの側のクランプ取付室２７Ｂと、他端１１Ｂの側の光源室２７Ａとに仕切２８で仕切られている。クランプ取付室２７Ｂにはクランプユニット２６が配設され、光源室２７Ａには光源ユニット２５が配設されている。
クランプユニット２６は、器具本体１０のアーム用挿入孔１５、又は、ポール用挿入孔１６から挿入された支柱４、５の先端部３に挿入されて取り付けられる支柱取付具である。また光源ユニット２５は、道路灯１の光源であり、発光素子を備えて構成されている。
【００１９】
クランプユニット２６は、前掲図６に示すように、支柱４、５の先端部３に挿入される筒部２９と、この筒部２９の外周面２９Ｃに設けられた鍔部３０とを備えている。この鍔部３０がベースケース体２０のクランプ取付室２７Ｂの左右両側に設けられたクランプユニット固定部１８にボルト３１Ａ、及びナット３１Ｂで締結固定される。また筒部２９の外周面２９Ｃには周方向から、複数本の締め付け用のダブルナット３２が挿入され、これらダブルナット３２によって支柱４、５の先端部３に筒部２９が締め付け固定される。また、ポール型の支柱４に取り付けられるクランプユニット２６にあっては、筒部２９の下側の一端２９Ａがポール用挿入孔１６の近傍に配置され、上側の他端２９Ｂがクランプ取付室２７Ｂの奥に入り込み、この他端２９Ｂに、支柱４の中を通じて先端部３から引き出された電気配線を保持するホルダ３３が取り付けられる。
【００２０】
光源ユニット２５は、道路灯１の光源であり、発光素子を備えて構成されている。具体的には、前掲図６に示すように、光源ユニット２５は、ＬＥＤ基板３４に実装されたＣＯＢ型ＬＥＤ（発光素子モジュール）３５と、絶縁シート３６と、反射鏡ベース板３７と、反射鏡３８と、レンズ体３９とを備え、これらの順に重ねるように組み付けて構成されている。
ＬＥＤ基板３４は、ＣＯＢ型ＬＥＤ３５の発熱を裏面に効率良く伝えるために、高熱伝導性を有する例えばセラミック等で形成されている。
ＣＯＢ型ＬＥＤ３５は、多数のＬＥＤをＬＥＤ基板３４の上に密集配置して平面視略円形（四角形も有り得る）の面状の発光部３５Ａを形成したチップオンボード（ＣＯＢ）構造の発光デバイスである。この面状の発光部３５Ａは、この面に略垂直な方向に光軸Ｆを有し、この光軸Ｆが器具本体１０の底面１０Ａを指向する姿勢で器具本体１０の中に配置される。ＣＯＢ型ＬＥＤ３５は、多数のＬＥＤが密集配置されていることから大光量で高輝度な灯具が得られる。
【００２１】
絶縁シート３６は、開口３６Ａが形成され、当該開口３６Ａから発光部３５Ａを露出させつつＬＥＤ基板３４の実装面を覆い、このＬＥＤ基板３４と上記反射鏡ベース板３７との間を電気的に絶縁するシート材である。
反射鏡ベース板３７は、反射鏡３８の組み付けベースとなる板材であり、上記絶縁シート３６、及びＬＥＤ基板３４を上記ベースケース体２０との間に挟むようにして当該ベースケース体２０にネジ止め固定される。上記ＬＥＤ基板３４は、反射鏡ベース板３７による挟み込みにより、その裏面がベースケース体２０に密接した状態で固定される。
【００２２】
反射鏡３８、及びレンズ体３９は、ＣＯＢ型ＬＥＤ３５の配光を制御する配光制御部材であり、これらの配光制御により、道路の走行方向に合わせて左右に延びた横長の配光が実現されている。具体的には、レンズ体３９は、ＣＯＢ型ＬＥＤ３５の発光部３５Ａを覆って配置されて、当該ＣＯＢ型ＬＥＤ３５の光軸Ｆ近傍の光を左右方向（道路の車線方向）に配光する機能を備える。また反射鏡３８は、このレンズ体３９の周囲を囲む反射面３８Ａを有し、レンズ体３９から側方に出る光を反射することで、背面側へ向かう光を抑えつつ、正面側の遠方（道路灯１が設置された道路の対向側の路肩近傍）に光を指向させるといった前後方向（道路の横断方向）の配光を制御する機能を備える。
【００２３】
図７に示すように、光源室２７Ａの天井を構成するベースケース体２０の天井面２０Ａには、ＬＥＤ基板３４の裏面と面接触して支持する台座面４０が所定の間隔で略格子状に設けられている。各台座面４０は、ＬＥＤ基板３４の各々が同一水平面（照射開口１２の開口面から一定の距離）に位置するように天井面２０Ａからの高さが設定されている。
台座面４０は、ベースケース体２０の天井面２０Ａに一体に形成されており、高熱伝導性を有するＬＥＤ基板３４を通じてＣＯＢ型ＬＥＤ３５の発熱が伝えられる。台座面４０の熱は、ベースケース体２０の天井面２０Ａに伝へられ、当該ベースケース体２０の天面１０Ｃから外部に放熱され、これにより、ＣＯＢ型ＬＥＤ３５の光源温度が発光動作に適切な温度に維持される。なお、ＣＯＢ型ＬＥＤ３５に代えて、他の構造のＬＥＤ、或いは有機ＥＬ等の他の発光素子を用いても良いことは勿論である。
【００２４】
本実施形態では、ベースケース体２０には、光源室２７Ａの側に各光源ユニット２５を包囲する平面視矩形枠状の包囲壁４１を設け、この包囲壁４１の中を水密にすることで、光源室２７Ａを防水することとしている。すなわち、前掲図５に示すように、包囲壁４１の全周に亘り、その先端４１Ａが、下カバー体２１に担持されたグローブガラス１３のパッキン４２に密着し、これにより包囲壁４１の内部が水密にシールされる。
上記包囲壁４１のうち、クランプ取付室２７Ｂに面する箇所は上記仕切２８によって構成されており、この仕切２８には、電源線引込孔４３が開口し、この電源線引込孔４３を通じて電気配線がクランプ取付室２７Ｂから光源室２７Ａに引き込まれる。このとき電源線引込孔４３をシールするために、この電源線引込孔４３にブッシング４４を嵌合し、このブッシング４４に電源線を通して配線される。
【００２５】
また、光源室２７Ａの各光源ユニット２５とクランプユニット２６とは、図４に示すように、側面視略水平に延びるベースケース体２０に、クランプユニット２６による支柱４、５への固定箇所Ｐと、器具本体１０の重心位置Ｑとの高さ方向のズレを抑えて（理想的には、同一水平面上に）配置した。これにより、器具本体１０の共振点が下がることから道路灯１の設置箇所の振動の影響が少なくなり、使用環境が拡大される。
【００２６】
蓋体２２は、前掲図４に示すように、上記クランプ取付室２７Ｂを覆い、上記ベースケース体２０の天面１０Ｃにヒンジ金具４６で開閉自在に取り付けられている。
図８は蓋体２２を開いた状態を示す道路灯１の側面図であり、図９は同状態を示す道路灯１の上方斜視図である。
これらの図、及び前掲図７に示すように、ベースケース体２０の天面１０Ｃ、及び背面側には、クランプ取付室２７Ｂを露出する開口４７が形成されている。具体的には、開口４７は、クランプ取付室２７Ｂの天井に対応する箇所の天面１０Ｃから背面１０Ｂに亘る範囲を露出するように形成されており、さらに、クランプ取付室２７Ｂの左右の両側面の側も露出するように形成されている。
【００２７】
これにより、図９に示すように、クランプ取付室２７Ｂの背面側がベースケース体２０に覆われることなく開放されることとなり、クランプ取付室２７Ｂでの作業が容易となる。特に、図９に示すように、器具本体１０がポール型の支柱４に取り付けられる場合、クランプユニット２６の筒部２９はクランプ取付室２７Ｂの中で上下に延び外周面２９Ｃが背面側に対面するように配設される。したがって、支柱４の先端部３を固定するダブルナット３２が器具本体１０の背面側に面するようにクランプユニット２６が配置されることで、背面側から開口４７を通じてダブルナット３２を簡単に操作することができ、器具本体１０の取付作業が容易となる。
【００２８】
蓋体２２は、クランプ取付室２７Ｂの開口４７を閉じるものであり、クランプ取付室２７Ｂに対応する天面１０Ｃと背面１０Ｂとが一体に形成されている。蓋体２２の背面１０Ｂに対応する箇所には、アーム用挿入孔１５が形成されており、このアーム用挿入孔１５が不使用である場合には、閉塞板１７が取り付けられて閉塞されている。
かかる蓋体２２は、ベースケース体２０の天面１０Ｃの略中央（より正確にはクランプ取付室２７Ｂと光源室２７Ａとの境界近傍）に設けたヒンジ金具４６に、光源室２７Ａ側に突出したヒンジ側端部２２Ａ（図６）を結合してベースケース体２０に取り付けられる。したがって、蓋体２２の開閉軸が天面１０Ｃの上になることから、蓋体２２を開いた場合に当該蓋体２２が天面１０Ｃの上に移動する。このため、器具本体１０の背面１０Ｂの側の近くに壁面等の構造物が有る場合でも、開蓋時に蓋体２２が干渉することがなく、蓋体２２を大きく開くことができる。
【００２９】
器具本体１０の天面１０Ｃは、前掲図５に示すように、左右の略中央部を頂点にして左右両側が低くなるように弧を描いて緩やかに屈曲した曲面形状を成し、天面１０Ｃに降り注ぐ風雨、及び積雪が左右両側に促されるようになっている。
また、器具本体１０の天面１０Ｃは、前掲図２（Ｂ）に示すように、正面側（すなわち光源室２７Ａの側）の他端１１Ｂから背面側（すなわちクランプ取付室２７Ｂ）の側にかけて流線２０Ｌを描く形状とされている。これにより、図８に示すように、器具本体１０が水平面Ｈに対して所定角度αの傾斜角度で他端１１Ｂを上を向けた姿勢で取り付けられた場合に、天面１０Ｃに降り注ぐ雨水や積雪を背面側に移動させつつ、天面１０Ｃの両側からスムーズに落下させるようになっている。
さらに、この器具本体１０には、クランプ取付室２７Ｂの近傍の光源室２７Ａの天面１０Ｃに、左右の両側に亘って横断し排水溝としての機能を有する横溝４５が形成され、また、前掲図２に示すように、他端１１Ｂから背面側に向けて延び、上記横溝４５に合流する複数本の誘導溝４８が形成されている。これにより、光源室２７Ａの側の他端１１Ｂから背面側への雨水等の移動を促進し横溝４５からスムーズに落下させることができる。
本実施形態では、各誘導溝４８が上述の台座面４０の直上に対応した位置に設けられており、台座面４０を通じて伝熱される光源の熱で積雪を溶かし、横溝４５に効率良く案内されるようになっている。
【００３０】
ここで、器具本体１０の天面１０Ｃを構成する上記ベースケース体２０は、前掲図４に示すように、天面１０Ｃの板厚Ｔが光源室２７Ａの側の他端１１Ｂからクランプ取付室２７Ｂにかけて次第に厚くなっている。そして、上記横溝４５は、クランプ取付室２７Ｂの近傍の光源室２７Ａの天面１０Ｃ、すなわち板厚Ｔが十分に厚く剛性が高い位置に設けられており、横溝４５を設けられても天面１０Ｃの剛性が確保されているようになっている。
また蓋体２２の結合側の縁部は横溝４５に沿って配置され、横溝４５が蓋体２２の開閉に要するクリアランスも兼ねている。この横溝４５の中には、蓋体２２に結合される上記ヒンジ金具４６が収められておりヒンジ金具４６が露出しないようにすることで意匠が高められている。このとき、ヒンジ金具４６は、横溝４５の底面４５Ａから高い位置であり、かつ、蓋体２２のヒンジ側端部２２Ａで覆われた位置に配設されている。これにより、ヒンジ金具４６が風雨に曝され、また横溝４５の雨水に浸水し難くなり、水による腐食が抑制される。
【００３１】
器具本体１０は、図９に示すように、支柱４、５への設置時に蓋体２２を開位置で支持するストッパー機構４９を備えている。
ストッパー機構４９は、蓋体２２の裏面に設けたレール５０と、ベースケース体２０に一端５１Ａが結合され他端５１Ｂがレール５０に案内自在に係合し蓋体２２を支持する支持棒５１とを備えている。レール５０には、蓋体２２の開閉に伴って支持棒５１の他端５１Ｂが移動する直線状の孔である案内路５０Ａが設けられている。開蓋時には、蓋体２２が９０度以上（本実施形態では１１５度）の開き角度β（図８）に開いた状態で支持棒５１が案内路５０Ａの下端部５０Ａ１に引っ掛かって蓋体２２を支持する。また案内路５０Ａには、下端部５０Ａ１を略Ｌ字状に上方（天面１０Ｃの側）に延ばした支え用端部５０Ａ２が設けられている。この支え用端部５０Ａ２に支持棒５１が引っ掛かることで、支持棒５１が蓋体２２の開き角度βが９０度以下の状態で蓋体２２を閉蓋不能に支持する。
【００３２】
また、閉蓋時には、支持棒５１の他端５１Ｂが案内され当該案内路５０Ａの直線方向の端である上端部５０Ａ３に移動する。この上端部５０Ａ３に支持棒５１が引っ掛かった状態においては、蓋体２２が全閉しない状態で支持棒５１が蓋体２２を閉蓋不能に支持する。一方、案内路５０Ａには上端部５０Ａ３に至る途中に、閉蓋方向Ｄに分岐する分岐路５０Ａ４が設けられており、この分岐路５０Ａ４に支持棒５１の他端５１Ｂが入り込むことで、支持棒５１による蓋体２２の支持が解かれて蓋体２２が全閉する。
すなわち、開いた蓋体２２が閉じるには、作業者が分岐路５０Ａ４に支持棒５１の他端５１Ｂを案内するように操作する必要がある。このような操作が成されずに、例えば風等の影響で蓋体２２が閉じようとする場合には、支持棒５１の他端５１Ｂが案内路５０Ａを直線状に勢いよく移動し、ストレートに上端部５０Ａ３に到達して蓋体２２が全閉する前に係止され、作業中に不意に蓋体２２に挟まれるといった事を防止できる。
【００３３】
ところで、この道路灯１は、積雪の比較的多い地方に設置された場合には、器具本体１０に積もった雪が光源ユニット２５の熱で融けて水滴となり、水滴が器具本体１０から滴下する際に凍って、器具本体１０に氷柱が形成される可能性がある。
光源としてナトリウムランプ等を用いた従来の照明器具では、ナトリウムランプからの発熱量が多いため、器具本体１０から滴下する水滴は凍りにくく、氷柱は形成され難い。
これに対し、本実施形態の道路灯１のように、光源にＣＯＢ型ＬＥＤ３５等の発光素子を用いた照明器具の場合、発光素子の発熱量が比較的少ないため、このままでは器具本体１０に氷柱が形成されやすい。
【００３４】
氷柱の形成条件を検証した結果、器具本体１０の高温となる高温部の温度と、器具本体１０から水滴が滴下する滴下部の温度との温度差が所定温度（望ましくは、３℃）以内であれば、氷柱が形成され難いことが判明した。
以下、図３−図６及び図１０を参照し、器具本体１０の高温部の温度と、器具本体１０の滴下部の温度との温度差を所定温度以内に収めて、氷柱の形成を抑制する構成について説明する。
【００３５】
上述したように、光源ユニット２５は、天面１０Ｃの内面（天井面２０Ａ）に設けられている。また、図４−図６に示すように、器具本体１０は、下カバー体２１の外縁部２１Ａをベースケース体２０の外側面１０Ｄ、１０Ｅ、１０Ｆが覆うように構成されている。したがって、天面１０Ｃの温度は天面１０Ｃに積もった雪が融ける温度まで上昇すると、融けた雪は水滴となって天面１０Ｃの曲面形状に沿ってベースケース体２０の外側面１０Ｄ、１０Ｅ、１０Ｆに流れ、外側面１０Ｄ、１０Ｅ、１０Ｆの下端１０Ｄ１、１０Ｅ１、１０Ｆ１から滴下する。
【００３６】
このように、下カバー体２１の外縁部２１Ａをベースケース体２０の外側面１０Ｄ、１０Ｅ、１０Ｆが覆うことで、滴下部となる外側面１０Ｄ、１０Ｅ、１０Ｆの下端１０Ｄ１、１０Ｅ１、１０Ｆ１を、光源ユニット２５の熱により温度が上昇するベースケース体２０に設けることができるので、光源ユニット２５の熱をベースケース体２０を介して下端１０Ｄ１、１０Ｅ１、１０Ｆ１に伝熱することができ、下端１０Ｄ１、１０Ｅ１、１０Ｆ１の温度を上昇させることができる。
【００３７】
また、グローブガラス１３を、パッキン４２を挟んで、ベースケース体２０と下カバー体２１との間に挟持している。パッキン４２はシール部材として有効な例えばゴム等の素材を用いて構成されているが、当該素材は断熱性を有している。したがって、上記のようにパッキン４２を設けることで、ベースケース体２０と下カバー体２１との間に断熱性を有するパッキン４２が介在することとなるため、光源ユニット２５の熱が下カバー体２１に伝熱されることを抑制でき、光源ユニット２５の熱を下端１０Ｄ１、１０Ｅ１、１０Ｆ１に効率良く伝熱することができる。
さらに、本実施形態では、光源ユニット２５の熱を滴下部となる下端１０Ｄ１、１０Ｅ１、１０Ｆ１に伝熱する伝熱板（伝熱部材）６０を設けている。以下、この伝熱板６０の詳細な構成について説明する。
【００３８】
図１０は、伝熱板６０を示す図であり、図１０（Ａ）は側面図、図１０（Ｂ）は底面図、図１０（Ｃ）は背面図である。図１１は、図５の部分Ａを拡大して示す図である。なお、図１１では、左の外側面１０Ｅ側を示すが、右の外側面１０Ｆ側の構成は左の外側面１０Ｅ側の構成を左右反転したものであるため、右の外側面１０Ｆ側の図示を省略する。
伝熱板６０は、図１０に示すように、例えばアルミや銅等の熱伝導性を有する素材で形成された板状部材である。この伝熱板６０は、図３−図６に示すように、底面視において包囲壁４１に囲まれた光源室２７Ａの略全体に亘る大きさに形成され、ベースケース体２０とＬＥＤ基板３４との間に配置されて、ねじ（固定手段）６１でベースケース体２０に固定されている。
【００３９】
伝熱板６０には、図６に示すように、天井面２０Ａ（図７）から立設する台座面４０を露出させる台座面露出孔６２が設けられている。台座面露出孔６２は、台座面４０の周囲（側面）に接する大きさに形成されている。
また、詳細な説明を省略するが、伝熱板６０には、例えば絶縁シート３６や反射鏡ベース板３７の固定手段等の部材を露出させる貫通孔が設けられている。
【００４０】
図４に示すように、伝熱板６０の正面側の側部６３は、外側面１０Ｄの近傍まで延出している。また、図５及び図１１に示すように、伝熱板６０の左右側の側部６３は、下方に向けて屈曲した後、外側面１０Ｅ、１０Ｆ側に延出しており、側端上面６３Ａ及び側端面６３Ｂは略平坦に形成されている。
ベースケース体２０には、左右の外側面１０Ｅ、１０Ｆ近傍（例えば、包囲壁４１）に、段部２０Ｂが形成されており、伝熱板６０がベースケース体２０に取り付けられると、側端上面６３Ａ及び側端面６３Ｂがベースケース体２０の段部２０Ｂに接触するようになっている。
【００４１】
このように、伝熱板６０が外側面１０Ｄ、１０Ｅ、１０Ｆ近傍に接触しているため、光源ユニット２５の熱は、ＬＥＤ基板３４又は台座面４０から伝熱板６０に伝熱し、伝熱板６０を介して外側面１０Ｄ、１０Ｅ、１０Ｆに伝熱される。その結果、天面１０Ｃの温度が雪が解ける温度以上に上昇した場合に、滴下部となる下端１０Ｄ１、１０Ｅ１、１０Ｆ１でも水滴が凍りにくい温度となる。換言すれば、高温部となる天面１０Ｃの温度と、滴下部となる下端１０Ｄ１、１０Ｅ１、１０Ｆ１の温度の温度差が、氷柱が形成され難い所定温度（例えば、３℃）以内に収まるので、氷柱の形成を抑制できる。
【００４２】
しかも、台座面４０を天井面２０Ａから立設させて形成し、伝熱板６０に、台座面４０を露出させるとともに台座面４０に接触する台座面露出孔６２を形成した上で、伝熱板６０をベースケース体２０から取り外し可能に形成した。これにより、伝熱板６０を取り付けた場合には、伝熱板６０がＬＥＤ基板３４及び台座面４０に接触して、光源ユニット２５の熱を滴下部となる下端１０Ｄ１、１０Ｅ１、１０Ｆ１に伝熱できる。したがって、ベースケース体２０には、光源ユニット２５の熱を台座面４０を介して天面１０Ｃに伝熱する経路と、光源ユニット２５の熱を伝熱板６０を介して下端１０Ｄ１、１０Ｅ１、１０Ｆ１に伝熱する経路が形成され、高温部となる天面１０Ｃの温度と、滴下部となる下端１０Ｄ１、１０Ｅ１、１０Ｆ１の温度の温度差を小さくすることができる。
一方、伝熱板６０を必要としない場合には、伝熱板６０をベースケース体２０から取り外すだけでよく、器具本体１０の再設計を行うことなく、道路灯１を寒冷地帯に設置されない通常の照明器具とすることができるので、器具本体１０の汎用性が向上する。
【００４３】
以上説明したように、本実施形態によれば、次のような効果を奏する。
【００４４】
すなわち、本実施形態によれば、高温部となる天面１０Ｃの温度と、滴下部となる下端１０Ｄ１、１０Ｅ１、１０Ｆ１の温度の温度差を所定温度以内に収めた構成とした。より具体的には、光源ユニット２５の熱を滴下部となる下端１０Ｄ１、１０Ｅ１、１０Ｆ１に伝熱する伝熱板６０を設けた。この構成により、高温部となる天面１０Ｃの温度と、滴下部となる下端１０Ｄ１、１０Ｅ１、１０Ｆ１の温度の温度差が、氷柱が形成され難い所定温度以内に収まるので、当該下端１０Ｄ１、１０Ｅ１、１０Ｆ１に氷柱が形成されることを抑制できる。
【００４５】
また、本実施形態によれば、伝熱板６０を取り外し可能に設ける構成とした。この構成により、伝熱板６０を取り外した場合には、道路灯１を寒冷地帯に設置されない通常の照明器具とすることができるので、器具本体１０の汎用性が向上する。
【００４６】
また、本実施形態によれば、下カバー体２１の外縁部２１Ａをベースケース体２０の外側面１０Ｄ、１０Ｅ、１０Ｆが覆い、当該外側面１０Ｄ、１０Ｅ、１０Ｆの下端１０Ｄ１、１０Ｅ１、１０Ｆ１を滴下部とする構成とした。この構成により、光源ユニット２５の熱により温度が上昇するベースケース体２０に滴下部を設けることができるので、滴下部とした下端１０Ｄ１、１０Ｅ１、１０Ｆ１の温度を上昇させることができる。
【００４７】
また、本実施形態によれば、グローブガラス１３は、断熱性を有するパッキン４２を挟んで、ベースケース体２０と下カバー体２１との間に挟持される構成とした。この構成により、光源ユニット２５の熱が下カバー体２１に伝熱されることを抑制できるので、光源ユニット２５の熱を下端１０Ｄ１、１０Ｅ１、１０Ｆ１に効率良く伝熱することができ、その結果、高温部となる天面１０Ｃの温度と、滴下部となる下端１０Ｄ１、１０Ｅ１、１０Ｆ１の温度との温度差を所定温度以内に収めることができる。
【００４８】
なお、上述した実施形態は、あくまでも本発明の一態様を例示したものであって、本発明の趣旨を逸脱しない範囲で任意に変形、及び応用が可能である。
例えば、上記実施の形態では、グローブの例として平板状のグローブガラス１３（パネル）を説明したが、グローブは形や素材の制約を受けないものとする。
また、本発明は道路灯に限らず、例えば街灯等の任意の屋外用照明器具に適用可能である。また、本発明は、器具本体が支柱に限らず、例えば建物の壁等に支持される照明器具に適用可能である。
【符号の説明】
【００４９】
１  道路灯（寒冷地帯用照明器具）
１０  器具本体
１０Ｃ  天面（高温部）
１０Ｄ、１０Ｅ、１０Ｆ  外側面（側面）
１０Ｄ１、１０Ｅ１、１０Ｆ１  下端（滴下部）
１２  照射開口
１３  グローブガラス（グローブ）
２０  ベースケース体
２１  下カバー体（カバー）
２１  外縁部
２５  光源ユニット（光源）
４２  パッキン（シール部材）
６０  伝熱板（伝熱部材）
【図１】
2014072080.tif 000003
【図２】
2014072080.tif 000004
【図３】
2014072080.tif 000005
【図４】
2014072080.tif 000006
【図５】
2014072080.tif 000007
【図６】
2014072080.tif 000008
【図７】
2014072080.tif 000009
【図８】
2014072080.tif 000010
【図９】
2014072080.tif 000011
【図１０】
2014072080.tif 000012
【図１１】
2014072080.tif 000013